(57)【要約】ＩＰｖ６（Internet Protocol version 6）アドレスを生成するメッセージを伝送するシステムを提供する。システムは、少なくとも１つの移動端末、基地局、及びルータを含む。移動端末は、移動端末自身のＭＡＣアドレス及び高速アドレス設定指示フィールドを含む第１のＭＡＣ階層接続メッセージを基地局へ伝送する。基地局は、移動端末から第１のＭＡＣ階層接続メッセージを受信し、移動端末のＭＡＣアドレスと同一のＭＡＣアドレスが同一のサブネットワーク内に存在するか否かを確認する。
2006512877.tif 000002
【特許請求の範囲】
【請求項１】
ルータと、前記ルータに接続された複数の基地局と、前記基地局のうちの少なくとも１つと通信が可能な移動端末とを含むインターネットプロトコルシステムにおいて、前記移動端末が前記ルータによって占有される前記複数の基地局のうちのいずれか１つと通信するために、前記移動端末がセル内へ移動するとき、前記ルータからインターネットプロトコルアドレスを生成する方法であって、
前記移動端末から高速アドレス設定を要求するフィールドと前記移動端末の媒体アクセス制御（ＭＡＣ）アドレスを示すフィールドとを含むＭＡＣ階層接続メッセージ情報を前記基地局のうちの少なくとも１つの基地局を通して受信するステップと、
前記ＭＡＣ階層接続メッセージ情報を受信すると、前記移動端末のＭＡＣアドレスと同一のＭＡＣアドレスが、前記ルータが管理するネットワーク内に存在しない場合、同一のインターネットプロトコルサブネットワークを示すプレフィックス情報を前記ＭＡＣ階層接続メッセージに含ませて、前記移動端末へ伝送するステップと、
から構成されることを特徴とする方法。
【請求項２】
前記ＭＡＣ階層接続メッセージ情報を受信すると、前記移動端末のＭＡＣアドレスと同一のＭＡＣアドレスが、前記ルータが管理するネットワーク内に存在する場合、前記プレフィックス情報と前記移動端末のＭＡＣアドレスの長さと同一の長さを有するように生成された臨時ＭＡＣアドレスとを結合したフィールドを前記ＭＡＣ階層接続メッセージに含ませ、前記ルータから前記移動端末へ伝送するステップをさらに含むことを特徴とする請求項１記載の方法。
【請求項３】
移動端末に無線で接続される基地局と前記基地局をインターネットに接続するルータとを含むＩＰｖ６システムにおいて、前記移動端末のＩＰアドレスを生成するための方法であって、
前記移動端末からＭＡＣアドレスと高速アドレス設定指示フィールドとを含む第１のＭＡＣ階層接続メッセージを受信するステップと、
前記高速アドレス設定指示フィールドが設定された場合、前記移動端末のＭＡＣアドレスと重複するＭＡＣアドレスが同一のサブネットワークに存在するか否かを確認するステップと、
前記ＭＡＣアドレスが固有の場合、前記サブネットワークを示す所定のプレフィックス情報を含む第２のＭＡＣ階層接続メッセージを前記移動端末へ伝送するステップと、
前記移動端末が前記第２のＭＡＣ階層接続メッセージに含まれた情報に従ってＩＰｖ６アドレスを生成するステップと、
を含むことを特徴とする方法。
【請求項４】
前記第２のＭＡＣ階層接続メッセージは、前記移動端末のＭＡＣアドレスが重複するか否かを示すフィールドをさらに含んで伝送されることを特徴とする請求項３記載の方法。
【請求項５】
前記ＩＰｖ６アドレスを生成するステップは、前記移動端末のＭＡＣアドレスが固有の場合、前記移動端末が前記プレフィックス情報及び前記ＩＰｖ６アドレスを生成するステップをさらに含むことを特徴とする請求項４記載の方法。
【請求項６】
前記第２のＭＡＣ階層接続メッセージは、前記基地局が生成することを特徴とする請求項３記載の方法。
【請求項７】
前記第２のＭＡＣ階層接続メッセージは、前記ルータが生成することを特徴とする請求項３記載の方法。
【請求項８】
第１のＭＡＣ階層接続メッセージを受信するステップは、前記移動端末のＭＡＣアドレスと重複するＭＡＣアドレスが前記サブネットワーク内に存在する場合、前記サブネットワークのプレフィックスを前記移動端末のＭＡＣアドレスと同一の長さを有する臨時ＭＡＣアドレスと結合したフィールドを生成し、該生成されたフィールドを前記第２のＭＡＣ階層接続メッセージに含ませて前記移動端末へ伝送するステップをさらに含むことを特徴とする請求項３記載の方法。
【請求項９】
前記ＩＰｖ６アドレスを生成するステップは、前記移動端末のＭＡＣアドレスと重複するＭＡＣアドレスが存在する場合、前記移動端末が前記臨時ＭＡＣアドレスを前記プレフィックスと結合したフィールドに関する情報を使用するステップをさらに含むことを特徴とする請求項８記載の方法。
【請求項１０】
前記各ステップは、前記移動端末のハンドオフ手順の間に遂行されることを特徴とする請求項３記載の方法。
【請求項１１】
前記各ステップは、前記移動端末の再接続手順の間に遂行されることを特徴とする請求項３記載の方法。
【請求項１２】
インターネットプロトコル（ＩＰ）アドレスを生成するＩＰｖ６システムであって、
自身のＭＡＣアドレスと高速アドレス設定指示フィールドとを含む第１のＭＡＣ階層接続メッセージを生成し、前記第１のＭＡＣ階層接続メッセージを前記ＩＰｖ６システムの基地局へ伝送し、前記基地局から自身が属するサブネットワークのプレフィックスを含む第２のＭＡＣ階層接続メッセージを受信することによってＩＰｖ６アドレスを生成する少なくとも１つの移動端末と、
前記移動端末から第１のＭＡＣ階層接続メッセージを受信し、前記移動端末のＭＡＣアドレスと重複するＭＡＣアドレスが同一のサブネットワークに存在するか否かを確認し、前記ＭＡＣアドレスが固有の場合、前記プレフィックスを含む第２のＭＡＣ階層接続メッセージを前記移動端末へ伝送する基地局と、
から構成されることを特徴とするＩＰｖ６システム。
【請求項１３】
前記移動端末のＭＡＣアドレスと重複するＭＡＣアドレスが前記サブネットワーク内に存在する場合、前記基地局は、前記サブネットワークのプレフィックスを前記移動端末のＭＡＣアドレスと同一の長さを有する臨時ＭＡＣアドレスと結合したフィールドを生成し、該生成されたフィールドを前記第２のＭＡＣ階層接続メッセージに含ませて前記移動端末へ伝送することを特徴とする請求項１２記載のＩＰｖ６システム。
【請求項１４】
前記移動端末のＭＡＣアドレスと重複するＭＡＣアドレスが存在する場合、前記移動端末は、前記臨時ＭＡＣアドレスを前記プレフィックスと結合したフィールドに関する情報を前記ＩＰｖ６アドレスとして使用することを特徴とする請求項１３記載のＩＰｖ６システム。
【請求項１５】
前記基地局から伝送された前記第２のＭＡＣ階層接続メッセージは、前記移動端末のＭＡＣアドレスと重複するＭＡＣアドレスがあるか否かを示すフィールドをさらに含むことを特徴とする請求項１２記載のＩＰｖ６システム。
【請求項１６】
インターネットプロトコル（ＩＰ）アドレスを生成するＩＰｖ６システムであって、
自身のＭＡＣアドレスと高速アドレス設定指示フィールドとを含む第１のＭＡＣ階層接続メッセージを生成し、前記第１のＭＡＣ階層接続メッセージを前記ＩＰｖ６システムの基地局を通してルータへ伝送し、前記ルータから自身が属しているサブネットワークのプレフィックスを含む第２のＭＡＣ階層接続メッセージを受信することによって前記ＩＰｖ６アドレスを生成する少なくとも１つの移動端末と、
前記移動端末から前記第１のＭＡＣ階層接続メッセージを受信し、前記移動端末のＭＡＣアドレスと重複するＭＡＣアドレスが同一のサブネットワークに存在するか否かを確認し、前記ＭＡＣアドレスが固有の場合、前記プレフィックスを含む第２のＭＡＣ階層接続メッセージを前記移動端末へ伝送するルータと、から構成されることを特徴とするＩＰｖ６システム。
【請求項１７】
前記移動端末のＭＡＣアドレスと重複するＭＡＣアドレスが前記サブネットワーク内に存在する場合、前記ルータは、前記サブネットワークのプレフィックスを前記移動端末のＭＡＣアドレスと同一の長さを有する臨時ＭＡＣアドレスと結合したフィールドを生成し、該生成されたフィールドを前記第２のＭＡＣ階層接続メッセージに含ませて前記移動端末へ伝送することを特徴とする請求項１６記載のＩＰｖ６システム。
【請求項１８】
前記移動端末のＭＡＣアドレスと重複するＭＡＣアドレスが存在する場合、前記移動端末は、前記臨時ＭＡＣアドレスを前記プレフィックスと結合したフィールドに関する情報を前記ＩＰｖ６アドレスとして使用することを特徴とする請求項１７記載のＩＰｖ６システム。
【請求項１９】
前記ルータから伝送された前記第２のＭＡＣ階層接続メッセージは、前記移動端末のＭＡＣアドレスと重複するＭＡＣアドレスがあるか否かを示すフィールドをさらに含むことを特徴とする請求項１６記載のＩＰｖ６システム。
【請求項２０】
移動端末に無線で接続される基地局と前記基地局をインターネットに接続するルータとを含むＩＰｖ６システムにおいて、前記移動端末のインターネットプロトコル（ＩＰ）アドレスを生成するためのメッセージを伝送する方法であって、
前記移動端末からＭＡＣアドレス及び高速アドレス設定指示フィールドを含む第１のＭＡＣ階層接続メッセージを受信し、前記ＭＡＣアドレスと重複するＭＡＣアドレスが同一のサブネットワークに存在するか否かを確認するステップと、
前記移動端末の臨時ＭＡＣアドレスを前記サブネットワークを示す所定のプレフィックスと結合したプレフィックス情報フィールドを含む第２のＭＡＣ階層接続メッセージを前記移動端末へ伝送するステップと、
から構成されることを特徴とする方法。
【請求項２１】
前記第１のＭＡＣ階層接続メッセージは、前記移動端末からネットワークの上位階層へ伝送されるルータ呼出メッセージに前記高速アドレス設定指示フィールドが含まれたメッセージであることを特徴とする請求項２０記載の方法。
【請求項２２】
前記第２のＭＡＣ階層接続メッセージは、ＭＡＣ階層の処理のためのＭＡＣヘッダー及びＭＡＣメッセージを含む第１の領域と、前記プレフィックスを含む第２の領域とを含むことを特徴とする請求項２０記載の方法。
【請求項２３】
前記第２の領域は、前記移動端末が前記ＩＰアドレスを任意に生成するか否かを示す任意アドレス生成フィールドをさらに含むことを特徴とする請求項２２記載の方法。
【請求項２４】
前記第２の領域は、前記移動端末がリンク区分のために前記プレフィックスを使用することができるか否かを示す指示フィールドをさらに含むことを特徴とする請求項２２記載の方法。
【請求項２５】
前記第２の領域は、同一のサブネットワークで前記移動端末のＭＡＣアドレスと重複するＭＡＣアドレスがあるか否かを示すフィールドをさらに含むことを特徴とする請求項２２記載の方法。
【請求項２６】
前記第２の領域は、前記プレフィックスの長さ情報を示すフィールドをさらに含むことを特徴とする請求項２２記載の方法。
【請求項２７】
前記移動端末のＭＡＣアドレスが前記サブネットワーク内で固有の場合、前記移動端末は、前記プレフィックス情報フィールドの前記プレフィックス長さ情報で定義された長さだけの情報を自身のＩＰアドレスを生成するためにＭＡＣアドレスと結合されたプレフィックスとして使用することを特徴とする請求項２６記載の方法。
【請求項２８】
前記重複するＭＡＣアドレスが存在する場合、前記移動端末は、前記臨時ＭＡＣアドレスを前記プレフィックスと結合した情報を前記ＩＰｖ６アドレスとして使用することを特徴とする請求項２２記載の方法。
【請求項２９】
ＩＰｖ６アドレスを生成するためのメッセージを伝送するシステムであって、
自身のＭＡＣアドレス及び高速アドレス設定指示フィールドを含む第１のＭＡＣ階層接続メッセージを前記基地局へ伝送する少なくとも１つの移動端末と、
前記移動端末から第１のＭＡＣ階層接続メッセージを受信し、前記移動端末のＭＡＣアドレスと重複するＭＡＣアドレスが同一のサブネットワークに存在するか否かを確認する前記基地局と、
から構成されることを特徴とするシステム。
【請求項３０】
前記ＭＡＣアドレスが固有であると確認された場合、前記基地局は、前記移動端末のＭＡＣアドレスとプレフィックスとを含む第２のＭＡＣ階層接続メッセージを前記移動端末へ伝送し、前記第２のＭＡＣ階層接続メッセージに基づくＩＰｖ６アドレスを生成することを特徴とする請求項２９記載のシステム。
【請求項３１】
前記重複するＭＡＣアドレスが存在する場合、前記基地局は、前記移動端末のＭＡＣアドレスと同一の長さを有する臨時ＭＡＣアドレスを生成した後、該生成された臨時ＭＡＣアドレスを前記サブネットワークを示すプレフィックスと結合した１２８ビットのアドレス情報を含む第２のＭＡＣ階層接続メッセージを前記移動端末へ伝送し、前記移動端末は、前記１２８ビットのアドレス情報をＩＰｖ６アドレスとして使用することを特徴とする請求項２９記載のシステム。
【請求項３２】
ＩＰｖ６アドレスを生成するためのメッセージを伝送するシステムであって、
自身のＭＡＣアドレス及び高速アドレス設定指示フィールドを含む第１のＭＡＣ階層接続メッセージを前記ルータへ伝送する少なくとも１つの移動端末と、
前記移動端末から前記第１のＭＡＣ階層接続メッセージを受信し、前記移動端末の前記ＭＡＣアドレスと重複するＭＡＣアドレスが同一のサブネットワークに存在するか否かを確認する前記ルータと、
から構成されることを特徴とするシステム。
【請求項３３】
前記ＭＡＣアドレスが固有であると確認された場合、前記ルータは、前記サブネットワークを示すプレフィックスを含む第２のＭＡＣ階層接続メッセージを前記移動端末へ伝送し、前記移動端末は、前記第２のＭＡＣ階層接続メッセージに基づくＩＰｖ６アドレスを生成することを特徴とする請求項３２記載のシステム。
【請求項３４】
前記重複するＭＡＣアドレスが前記同一のサブネットワークに存在する場合、前記ルータは、前記移動端末のＭＡＣアドレスと同一の長さを有する臨時ＭＡＣアドレスを生成した後、該生成された臨時ＭＡＣアドレスを前記サブネットワークを示すプレフィックスと結合した１２８ビットのアドレス情報を含む第２のＭＡＣ階層接続メッセージを前記移動端末へ伝送し、前記移動端末は、前記１２８ビットのアドレス情報をＩＰｖ６アドレスとして使用することを特徴とする請求項３２記載のシステム。
【発明の詳細な説明】
【技術分野】
【０００１】
本発明は、パケットデータ通信システムにおける端末のネットワークアドレスを生成するための方法及びシステムに関し、特に、インターネットプロトコル（Internet Protocol；ＩＰ）を使用するシステムにおいて、端末のＩＰｖ６（Internet Protocol Version 6）に基づくインターネットプロトコルアドレスを生成するための方法及びシステムと、このためのメッセージを伝送する方法及びシステムに関する。
【背景技術】
【０００２】
一般に、インターネットプロトコルシステムは、従来の有線通信ネットワークにおいて、端末と通信ノードとの間のデータ通信のために提供されている。このようなインターネットプロトコルの技術は、１９８０年初期に、ＩＰｖ４（Internet Protocol Version 4）技術に基づいて使用されてきた。しかしながら、初期にＩＰｖ４が設計される当時には、現在のような広範囲な使用や多様な通信環境のような状況が考慮されなかった。そのため、１９９０年代半ば以降、既存のＩＰｖ４技術を改善するための次世代インターネットプロトコル開発が進められてきた。これをＩＰｖ６（Internet Protocol Version 6）という。
【０００３】
ここで、既存のＩＰｖ４技術で使用されるインターネットプロトコルアドレス（以下、“ＩＰアドレス”と称する）システムについて簡略に説明する。ＩＰｖ４技術は、３２ビットのアドレスシステムを支援する。このように、ＩＰｖ４技術は、３２ビットのアドレスシステムを使用するので、全世界的に増加するインターネットユーザの数に対処することができないという問題がある。従って、割り当てることができるアドレスの数を増加させるために、１２８ビットのアドレスシステムを使用するＩＰｖ６技術が開発された。
【０００４】
しかしながら、ＩＰｖ６技術は、単純に加入者に割り当てることができるＩＰアドレスの長さのみ増加させることではない。ＩＰｖ４技術で発展した幾通りかの技術が開発されたが、このうち、代表的な技術の１つにＩＰアドレス自動生成メカニズム（IP address-auto configuration）方法がある。以下では、以下、ＩＰｖ６技術で提供するＩＰｖ６アドレス自動生成メカニズムについて説明する。
【０００５】
図１は、一般的なＩＰｖ６インターネットシステムにおけるルータから端末へブロードキャストされる（broadcasted）ルータ通知メッセージ（Router Advertisement Message）のデータフォーマットの一例を示す図である。図１のルータ通知メッセージは、端末のＩＰアドレス自動生成のためのソース情報として用いられる。また、図１は、移動端末のアドレス生成方法を説明するためのメッセージの一例でもあるので、この例を用いて移動端末のアドレス生成のための構成を説明する。
【０００６】
上記一般的なＩＰｖ６システムで使用されるルータ通知メッセージは、３つの部分、基本ヘッダー部分１００、ルータ通知オプションヘッダー部分１１０、及びオプションヘッダー部分１２０に大別される。４０バイトの大きさを有する基本ヘッダー部分１００は、基本的にＩＰｖ６パケットに必要なソースアドレス（Source Address）及びあて先アドレス（Destination Address）のような基本的な情報を含む。そして、ルータ通知オプションヘッダー部分１１０は、１２バイトで構成される。ルータ通知オプションヘッダー部分１１０は、図１のメッセージがルータから周期的にブロードキャストされる(broadcated)ルータ通知メッセージであることを示す。
【０００７】
そして、オプションヘッダー部分１２０は、その使用目的に従ってソースリンク階層アドレス（Source Link Layer Address）、最大伝送単位（Maximum Transfer Unit；ＭＴＵ）、及びプレフィックス情報（Prefix Information）のうちの１つを選択して使用することができる。すなわち、上記ルータ通知メッセージは、上述した３種類の目的に従う情報のうちの１つを含むことができる。図１において、上記メッセージは、ＩＰアドレスの生成のために使用されるので、オプションヘッダー部分１２０は、プレフィックス情報１３０を含む。従って、上記プレフィックス情報は、３２ビットの大きさを有し、端末が属するＩＰサブネットワーク（Sub Network）のアドレスを示す。
【０００８】
図２は、一般的なＩＰｖ６システムにおいて、端末２００がルータ２９０からブロードキャストされるルータ通知メッセージを用いてＩＰアドレスを生成する手順を示す図である。図２を参照して、一般的なＩＰｖ６システムで端末２００がルータ２９０からブロードキャストされる通知メッセージを用いてＩＰアドレスを生成する過程について説明する。
端末２００でユーザがＩＰアドレスを要求するか、又はインターネット通信を遂行しようとする場合、ステップ２１０で、ルータ呼出メッセージ(Router Solicitation Message)を生成して該当ルータ２９０に直接に伝送する。すなわち、端末２００は、必要な場合、ルータ２９０が周期的にブロードキャストするルータ通知メッセージを待たずに、ルータ呼出メッセージを即座に生成して該当ルータ２９０へ伝送する。反対に、端末２００がＩＰアドレスを即座に受信する必要がないか、又は、該当ルータ２９０からルータ通知メッセージを直接受信する場合には、端末２００は、ステップ２１０で、ルータ呼出メッセージを送信する必要がない。
【０００９】
ルータ２９０は、上記ルータ呼出メッセージを受信した場合でも、しない場合でも、ステップ２２０で、あらかじめ設定された時間に各端末へルータ通知メッセージを送信する。このとき、上記伝送されたルータ通知メッセージは、同一のネットワークに接続された端末へ図１の基本ヘッダー部分１１０に含まれた送信者アドレス情報のような必須情報を含み、ネットワークに接続されたすべての端末がルータ通知メッセージを受信することができるようにブロードキャストされる。従って、上記ルータ通知メッセージは、図１のオプションヘッダー部分１２０に含まれたプレフィックス情報のようなネットワークのアドレス情報を含み、ルータ通知メッセージを受信した端末２００は、上記受信されたルータ通知メッセージを確認し、現在接続されたネットワークで使用されるＩＰアドレスを生成することができる。
【００１０】
この後、ステップ２３０で、上記ルータ通知メッセージを受信する端末２００は、ルータ通知メッセージに含まれた情報のうち、図１のプレフィックス情報１３０に基づいてＩＰｖ６アドレスを自動的に生成（又は構成）する。このとき、ＩＰアドレスを自動的に生成する方法において、端末２００は、プレフィックス番号と端末２００自身の媒体アクセス制御（Medium Access Control；以下、ＭＡＣと称する）アドレスを結合して１２８ビットのＩＰｖ６アドレスを生成する。このように、ＩＰアドレスを生成した端末２００は、ルータ２９０からＩＰアドレスが割り当てられる代わりに、端末２００自身がＩＰアドレスを生成する。従って、端末２００は、上記生成されたＩＰアドレスが、他の端末が使用するＩＰアドレスと重複するアドレスであるか否かを判断することができない。
【００１１】
従って、端末２００は、他の端末が自分と同一のＩＰアドレスをすでに使用しているか否かを確認しなければならない。このために、端末２００は、ステップ２４０で、他の端末とのアドレス重複性検査（Duplicated Address Detection；ＤＡＤ）を遂行する。すなわち、端末２００は、アドレス重複性検査メッセージを生成して、ルータ２９０に接続された同一のサブネットワークに属している他の端末へアドレス重複性検査メッセージを放送する。また、端末２００は、他の端末が上記アドレス重複性検査メッセージに応答するようにするために、あらかじめ設定された時間値を有するタイマーを駆動させる。
【００１２】
そして、端末２００は、ステップ２５０で、上記アドレス重複性検査メッセージの応答を待つ。タイマーが終了するときまで他の端末からの応答がない場合、すなわち、他の端末が同一のＩＰアドレスを使用中であることを示すメッセージを伝送しない場合、端末２００は、該当ＩＰアドレスを使用することができると判断する。次いで、ステップ２６０で、端末２００は、生成されたアドレスをＩＰｖ６アドレスとして貯蔵し、パケットデータ通信を遂行することができる。
【００１３】
しかしながら、このようなＩＰｖ６技術は、有線ネットワークに基づいて設計されたので、多くの問題を予防するために、無線ネットワークの性能を向上させなければならない。この問題を説明する前に、図３を参照して、移動端末における上述した方法によって、ＩＰｖ６アドレスを自動的に設定する過程について説明する。
【００１４】
図３は、一般的なＩＰｖ６システムで移動端末３００がルータ３９０によって割り当てられたアドレスを受信するための手順を示す図である。
図３を参照すると、移動端末３００は、無線チャンネルを介して基地局（Access Point；ＡＰ）３８０に接続される。そして、ＡＰ３８０は、今度はルータ３９０に接続される。移動端末３００は、ステップ３０５及び３１０で、ＭＡＣシグナリングのようなレイヤ２（Layer 2）メッセージを通して、基地局３８０から該当端末が現在位置しているセルにおける無線通信のために必要な情報を獲得する。このように登録された後に、移動端末３００は、レイヤ３（Layer 3）であるＩＰ階層に関する情報を設定する。すなわち、ステップ３０５及び３１０の手順で、物理階層の情報とレイヤ２の情報のみを交換するので、レイヤ３のＩＰ情報は、レイヤ２の設定（または接続）手順が完了した後に可能となる。
【００１５】
従って、レイヤ２に対するステップ３０５及びステップ３１０を遂行した後に、ステップ３２０及び３３０で、移動端末３００と基地局３８０との間に上記ルータ呼出メッセージ及び／又はルータ通知メッセージを送受信してレイヤ３の設定(または接続)手順を遂行する。その後、ステップ３２０乃至ステップ３７０で、移動端末３００は、ＩＰｖ６アドレスを自動的に生成し、アドレス重複性検査を実行する。このような過程は、図２に関連して説明した該当過程と同一である。
【００１６】
このように、移動端末が無線ネットワークで基地局を通してインターネットに接続するためには、上述したように、レイヤ２の接続手順とレイヤ３の接続手順とが独立して遂行されるので、接続に必要な総遅延時間は数秒になる。特に、移動端末が移動中である場合、頻繁にセルの位置が変更され、通信する基地局が継続して変更される。すなわち、移動端末がＩＰ通信接続を保持しつつハンドオフを遂行する場合、長い遅延時間を必要とする。従って、このような場合、チャンネル接続が切れるか、又は、そのチャンネル性能が格段に劣化する。この問題に対して、このような接続手順を改善して遅延時間を低減させることができる技術が要求される。
【発明の開示】
【発明が解決しようとする課題】
【００１７】
上記背景に鑑みて、本発明の目的は、移動通信システムにおいて、ＩＰｖ６アドレスを迅速に生成するための方法及びシステムを提供することにある。
【００１８】
本発明の他の目的は、移動通信システムにおいて、移動端末をハンドオフする間に、ＩＰアドレスを迅速に取得するための方法及びシステムを提供することにある。
【００１９】
また、本発明の他の目的は、移動通信システムにおいて、ＩＰ通信接続が設定された後に受信されることができる第３の階層（ＩＰ階層）に関する情報を第２の階層（ＭＡＣ階層）の接続設定に必要な情報のみをあらかじめ伝送することによって、移動端末でＩＰアドレス取得時間を減らすためのメッセージ伝送方法及びシステムを提供することにある。
【課題を解決するための手段】
【００２０】
このような目的を達成するために、本発明の１つの特徴によれば、ルータと、上記ルータに接続された複数の基地局と、上記基地局のうちの少なくとも１つと通信が可能な移動端末と、を含むインターネットプロトコルシステムにおいて、上記移動端末が上記ルータによって占有される上記複数の基地局のうちのいずれか１つと通信するために、上記移動端末がセルの内へ移動するとき、上記ルータからインターネットプロトコルアドレスを生成する方法は、上記移動端末から高速アドレス設定を要求するフィールドと上記移動端末の媒体アクセス制御（ＭＡＣ）アドレスを示すフィールドとを含むＭＡＣ階層接続メッセージ情報を上記基地局のうちの少なくとも１つの基地局を通して受信するステップと、上記ＭＡＣ階層接続メッセージ情報を受信すると、上記移動端末のＭＡＣアドレスと同一のＭＡＣアドレスが上記ルータが管理するネットワーク内に存在しない場合、同一のインターネットプロトコルサブネットワークを示すプレフィックス情報を上記ＭＡＣ階層接続メッセージに含ませて、上記移動端末へ伝送するステップと、から構成されることを特徴とする。
【００２１】
本発明の他の特徴によれば、移動端末に無線で接続される基地局と上記基地局をインターネットに接続するルータとを含むＩＰｖ６システムにおいて、上記移動端末のインターネットプロトコル（ＩＰ）アドレスを生成するためのメッセージを伝送する方法は、上記移動端末からＭＡＣアドレス及び高速アドレス設定指示フィールドを含む第１のＭＡＣ階層接続メッセージを受信し、上記ＭＡＣアドレスと重複するＭＡＣアドレスが同一のサブネットワークに存在するか否かを確認するステップと、上記移動端末の臨時ＭＡＣアドレスを上記サブネットワークを示す所定のプレフィックスと結合したプレフィックス情報フィールドを含む第２のＭＡＣ階層接続メッセージを上記移動端末へ伝送するステップと、から構成されることを特徴とする。
本発明のまた他の特徴によれば、インターネットプロトコル（ＩＰ）アドレスを生成するＩＰｖ６システムは、自身のＭＡＣアドレスと高速アドレス設定指示フィールドとを含む第１のＭＡＣ階層接続メッセージを生成し、上記第１のＭＡＣ階層接続メッセージを上記ＩＰｖ６システムの基地局へ伝送し、上記基地局から自身が属したサブネットワークのプレフィックスを含む第２のＭＡＣ階層接続メッセージを受信することによってＩＰｖ６アドレスを生成する少なくとも１つの移動端末と、上記移動端末から第１のＭＡＣ階層接続メッセージを受信し、上記移動端末のＭＡＣアドレスと重複するＭＡＣアドレスが同一のサブネットワークに存在するか否かを確認し、上記ＭＡＣアドレスが固有の場合、上記プレフィックスを含む第２のＭＡＣ階層接続メッセージを上記移動端末へ伝送する基地局と、から構成されることを特徴とする。
【発明の効果】
【００２２】
本発明で提案された方法は、幾つかの複雑な過程を遂行せず、移動端末のＩＰｖ６アドレスを迅速に設定することができ、これによって、ハンドオフする間にも、帯域幅の浪費を防止することができ、サービス品質を保持することができる、という利点がある。
【発明を実施するための最良の形態】
【００２３】
以下、本発明の好適な一実施形態を添付図面を参照しつつ詳細に説明する。下記の説明において、本発明の要旨のみを明瞭にする目的で、関連した公知の機能又は構成に関する具体的な説明は省略する。
【００２４】
従来技術で説明したように、従来のＩＰ技術は、１９８０年代初めに発明されたＩＰｖ４（Internet Protocol Version 4）技術に基づいて使用されてきた。しかしながら、初期にＩＰｖ４が設計される当時には、現在のような広範囲な使用や多様な通信環境のような状況が考慮されなかったので、１９９０年代半ば以降、既存のＩＰｖ４技術を改善するための次世代インターネットプロトコル開発が進められた。これをＩＰｖ６（Internet Protocol Version 6）という。
【００２５】
新たに設計されて開発が進行中であるＩＰｖ６は、広範囲であり、多様な通信環境を考慮に入れても、移動通信及び無線環境に対しては考慮せず、有線環境のみを考慮して設計された。従って、実際の移動インターネット技術を開発するにあたっては、上位レイヤでインターネットサービスを提供しようとするとき、インターネット技術と移動通信技術との間での互換性の問題が多く発生した。
【００２６】
本発明では、このような有線ネットワークに基づいて設計されたＩＰｖ６技術が無線通信環境を含む移動通信環境のように制限された帯域幅を用いる場合を考慮して、ＩＰｖ６に基づくＩＰｖ６アドレスを高速で自動に生成し、これによって、移動端末が自身の移動によるハンドオフ又は再接続のときに感じる遅延時間を最小化することができる。このようにして、移動端末は、移動通信環境でも自身の移動による伝送遅延を最小化することによって、途切れのないサービスを受信することができる。
【００２７】
図４は、本発明の望ましい実施形態による移動端末に対するＩＰｖ６アドレスを割り当てる手順を示す図である。図４を参照すると、移動端末４００は、最初の通信を遂行する、又は、新たなセルに接続される場合、ステップ４１０で、本発明の好適な実施形態によるルータ呼出メッセージ（Router Solicitation Message）を生成し、上記生成されたルータ呼出メッセージを、アップリンク(uplink)を介して伝送する。上記“アップリンク”は、移動端末４００から基地局（ＡＰ）４８０へのリンク、移動端末４００からルータ４９０へのリンク、又は／及び基地局４８０からルータ４９０へのリンクを意味する。また、ステップ４１０で上記ルータ呼出メッセージを伝送する過程は、図３に関連して説明したレイヤ２（Layer 2）（第２の階層）接続手順に相当する。しかしながら、上記ルータ呼出メッセージは、本発明の実施形態によって新たに定義されるメッセージを含む。次に、図５を参照して、本発明の実施形態によるルータ呼出メッセージについて説明する。
【００２８】
図５は、本発明の実施形態による高速アドレスを設定するときアップリンクを介して伝送される第１のＭＡＣ階層接続メッセージのデータフォーマットの一例を示す図であり、これは、ルータ呼出メッセージとして使用される。上記ルータ呼出メッセージは、移動端末４００と基地局４８０との間のＭＡＣ階層データ処理のためのＭＡＣヘッダー５００及びＭＡＣメッセージ５１０を含む。また、上記ルータ呼出メッセージは、本発明の実施形態による高速のＩＰアドレス設定のために準備されたＲビット５２０を含む。上記Ｒビット５２０が‘１’である場合には、本発明の実施形態による高速のアドレス設定手順を要求（Request）することを意味し、Ｒビット５２０が‘０’である場合には、従来のアドレス設定手順を要求することを意味する。以下の説明では、上記Ｒビット５２０を“高速アドレス設定指示フィールド”と称する。
【００２９】
ここで、図４に示すように、図５の高速アドレス設定指示フィールド（Ｒビット５２０）を“１”に設定して、基地局４８０へ伝送すると仮定する。移動端末４００が上記設定された高速アドレス設定指示フィールドを有するルータ呼出メッセージを基地局４８０へ送信すると、基地局４８０は、ステップ４２０で、基地局自身又はルータ４９０を通して移動端末のＭＡＣアドレス（又は、これと同一の長さを有する臨時ＭＡＣアドレス）及び／又は、ＩＰアドレス生成のためのプレフィックスが含まれた任意のレイヤ２アドレスを生成する。すると、基地局４８０は、ステップ４３０で、ダウンリンクを介して移動端末４００へメッセージを伝送する。上記第２のＭＡＣ階層接続メッセージ（図６に図示）を生成するアドレス生成手順は、図７を参照して下記に詳細に説明される。
【００３０】
そして、ステップ４３０で使用される“ダウンリンク（downlink）”は、ルータ４９０から基地局４８０へのリンク、ルータ４９０から移動端末４００へのリンク、及び／又は、基地局４８０から移動端末４００へのリンクを意味する。このとき、基地局４８０は、ステップ４２０で生成されたアドレスを、第２のＭＡＣ階層接続メッセージを使用して伝送する。すなわち、第２のＭＡＣ階層接続メッセージは、ＭＡＣメッセージである。このようなＭＡＣメッセージは、従来技術に従うメッセージと共に、本発明の実施形態によるレイヤ３（第３の階層）接続のためのルータ通知メッセージ（Router Advertisement Message）を含む。以下では、ステップ４２０で生成されたメッセージについて図６を参照して詳細に説明する。
【００３１】
図６は、本発明の実施形態による高速アドレスを設定するときダウンリンクを介して伝送される第２のＭＡＣ階層接続メッセージのデータフォーマットの一例を示す図である。図６に示す各フィールドは、既存の有線ネットワークにおけるルータ通知メッセージで使用されるフィールドと同一である。図６のメッセージは、ＭＡＣ領域６００とアドレス生成領域６１０とに大別される。ＭＡＣ領域６００は、ＭＡＣ階層の処理のための領域であり、アドレス生成領域６１０は、移動端末４００のＩＰｖ６アドレスを生成するために定義される領域である。ＭＡＣ領域６００は、ＭＡＣ階層の処理のためにＭＡＣヘッダー６２０とＭＡＣメッセージ６２５とを含む。
【００３２】
アドレス生成領域６１０は、本発明の実施形態に従って次のようなフィールドを含む。
【００３３】
（１）任意アドレス生成指示フィールド
上記任意アドレス生成指示フィールドは、ネットワークで移動端末４００が任意にＩＰアドレスを生成して使用するか否かを示す。図６において、上記フィールドは、２ビットで表示され、これは、Ｍビット６３０及び Ｏビット６３５である。ここで、上記Ｍビット及びＯビットは、下記のような意味を有する。
【００３４】
上記Ｍビットが１である場合、移動端末４００は、ＩＰアドレスを任意に生成する自動アドレス生成方法を使用することができなく、ルータ４９０又は基地局４８０から割り当てられたＩＰアドレスを使用しなければならない。しかしながら、上記Ｍビットが０である場合は、基地局４８０又はルータ４９０が移動端末４００に対するＩＰアドレスを生成する動作を制限しないことを意味する。上記ＤＨＣＰ（Dynamic Host Configuration Protocol）は、ネットワーク上に位置してＩＰアドレス以外の設定情報（例えば、サブネットマスク（subnet mask）、ゲートウェイアドレス（gateway address））の受信を希望する移動端末に使用可能なＩＰアドレスを割り当てるサーバーを意味する。
【００３５】
また、上記Ｏビットが１である場合、移動端末４００は、本発明の実施形態による任意のアドレスを生成する自動アドレス生成方法を使用してＩＰアドレスを生成することができるが、移動端末４００に対するＩＰアドレスを除いたネットワークで必要な他の情報は、ＤＨＣＰを通して割り当てられなければならない。しかしながら、上記Ｏビットが０である場合は、ＩＰアドレスの生成に対して基地局４８０又はルータ４９０が移動端末４００に対するアドレスを生成する動作を制限しないことを意味する。
【００３６】
（２）プレフィックス情報のリンク区分指示フィールド
上記フィールドは、移動端末４００自身が受信したルータ通知メッセージのプレフィックス情報を使用して、自身が位置するリンクを判断するために使用されることができる。上記フィールドは、このような目的で該当ルータ通知メッセージを使用するか否かを示すＬビット６４０に相当する。例えば、Ｌビット６４０が“１”である場合は、移動端末４００が、受信したプレフィックス情報をリンク区分の目的のために使用することができる。一方、Ｌビット６４０が‘０’である場合は、移動端末４００が、上記伝送されたプレフィックス情報をリンク区分の目的のために使用することができないことを意味する。
【００３７】
（３）自動アドレス構成フィールド
上記自動アドレス構成フィールドは、図６のＡビット６４５であって、自動アドレス構成が可能であるか否かを示す。例えば、上記Ａビット６４５が“１”である場合は、自動アドレス構成（autonomous address configuration）の設定が可能であることを意味する。反対に、上記Ａビット６４５が“０”である場合は、自動アドレス構成の設定が不可能であることを示す。
【００３８】
（４）ＭＡＣヘッダー重複指示フィールド
上記ＭＡＣヘッダー重複指示フィールドは、図６のＤビット６５０に対応する。基地局４８０又はルータ４９０が、移動端末４００から受信されたＭＡＣメッセージ内のヘッダーのＭＡＣアドレスと同一のＭＡＣアドレスを使用する移動端末が、同一のプレフィックスを使用するサブネットワーク又はセル内に存在するか否かを、基地局４８０又はルータ４９０内の移動端末情報テーブルを検索することによって確認する。その後、Ｄビット６５０を使用してその結果を示す。
【００３９】
例えば、上記Ｄビット値が‘１’（すなわち、ＴＲＵＥ）である場合は、同一のアドレスを使用する移動端末が存在しないため、これ以上アドレス重複性検査を遂行せずに、移動端末４００が生成したＩＰアドレスをそのまま使用することができることを示す。しかしながら、上記Ｄビット値が‘０’（すなわち、ＦＡＬＳＥ）である場合は、検査の結果アドレスが重複していると検知したのでそのアドレスを使用することができない。そのため、移動端末４００は、任意にＩＰアドレスを生成せず、基地局４８０又はルータ４９０が割り当てたＩＰアドレスを変更せず使用すべきであることを意味する。
【００４０】
（５）予約フィールド
上記予約フィールド６５５は、本発明では未定義フィールドであり、これは、３ビットから構成される。従って、上記予約フィールド６５５は、将来、付加的な機能を提供するために未使用状態にしておく。また、上記予約フィールドのすべてのビットは、“０”に設定されて伝送される。
【００４１】
（６）プレフィックス長さフィールド
上記プレフィックス長さフィールドは、移動端末４００でアドレス生成のために使用されるプレフィックスの長さ情報を示すフィールド６６０であって、１バイトの大きさに設定されることができる。
【００４２】
（７）プレフィックス情報フィールド
これは、ネットワークで移動端末４００に対するＩＰアドレスを生成するための、又は、ネットワークで設定されたＩＰアドレスを伝送するためのプレフィックス情報６６５を伝送するフィールドであって、望ましくは、１６バイト（１２８ビット）で構成される。
【００４３】
上記ＭＡＣヘッダー重複指示フィールドの値（又はＤビット）が‘０’である場合、重複したアドレスを有する他の移動端末が存在するため、移動端末４００は、上記１６バイトのプレフィックス情報フィールドを基地局４８０から割り当てられたＩＰアドレスとして使用する。しかしながら、上記ＭＡＣヘッダー重複指示フィールド６５０の値（又はＤビット）が‘１’である場合、移動端末４００は、上記プレフィックス情報フィールドの１２８ビット情報のうち、最上位ビット（most significant bit；ＭＳＢ）から上記プレフィックス長さフィールドで定義された長さだけの情報を自身のＩＰアドレスを生成するためのプレフィックスとして使用する。
【００４４】
すなわち、移動端末で生成されるＩＰアドレスの長さは、１２８ビットに固定されてもよく、上記プレフィックスの長さは、可変的に設定されてもよい。従って、１２８ビットのＩＰアドレスの上位ビットには、プレフィックスが位置し、下位ビットには、４８ビットのＭＡＣアドレスが位置し、上記プレフィックスとＭＡＣアドレスとの間には、‘０’が挿入される。
【００４５】
（８）最大伝送単位情報フィールド
これは、移動端末４００がネットワークで情報を伝送する間に考慮しなければならない最大伝送単位（Maximum Transfer Unit；ＭＴＵ）値を定義するフィールド６７０であって、望ましくは、４バイトで構成される。
【００４６】
ここで、図４に示すように、、上述したような第２のＭＡＣ階層接続メッセージがステップ４３０で基地局４８０から移動端末４００へ伝送される。そして、移動端末４００は、ルータ通知メッセージを含むレイヤ２接続手順に従うメッセージを受信すると、上記受信されたメッセージのフィールド値を分析し、ステップ４４０でＩＰｖ６アドレスを自動的に生成する。また、ＩＰｖ６アドレスが上記第２のＭＡＣ階層接続メッセージに自動的に設定されず、ネットワークで指定されたアドレスをそのまま使用すると、移動端末４００は、ステップ４４０のＩＰｖ６アドレス生成過程を遂行せず、ステップ４５０へ進行する。ステップ４５０で、移動端末４００は、上記受信されたＩＰｖ６アドレスを自身のアドレスとして使用する。このように、アドレス設定が完了された後に、移動端末４００は、パケットデータ通信を遂行することができる。
【００４７】
図７は、本発明の実施形態による基地局又はルータで任意のアドレスを生成する手順を示すフローチャートである。以下の説明では、説明の便宜上、基地局４８０で、上記過程が遂行されると仮定する。しかしながら、実際には、ルータ４９０で遂行されてよいし、基地局４８０及びルータ４９０で遂行されてもよいことに留意しなければならない。
【００４８】
図７を参照すると、基地局４８０は、ステップ７０５で、図４のステップ４１０で説明したようなルータ呼出メッセージを含む第１のＭＡＣ階層接続メッセージを受信する。ステップ７１０で、基地局４８０は、図５のルータ呼出メッセージのうち、最後の高速アドレス設定指示フィールド（又はＲビット５２０）を検出する。ステップ７１０での検出の結果、高速アドレス設定指示フィールドが‘０’に設定されていた場合、基地局４８０は、ステップ７１５に進行して、従来技術のアドレス設定方式にて、移動端末４００のＩＰアドレスを設定する。しかしながら、ステップ７１０で、高速アドレス設定指示フィールドが‘１’に設定されていた場合、基地局４８０は、ステップ７２０に進行して、本発明の実施形態によるアドレス設定方式にて移動端末４００のＩＰアドレス設定を遂行する。
【００４９】
ステップ７２０で、基地局４８０は、上記ルータ呼出メッセージを含む第１のＭＡＣ階層接続メッセージのＭＡＣアドレスを解析する。ステップ７２５で、基地局４８０は、ネイバーリスト（Neighbor list）テーブルを検索し、同一のＭＡＣアドレスが同一のサブネットワーク内で使用されているか否かを検査する。ステップ７２５で、同一のＭＡＣアドレスを使用しているノードがあると、基地局４８０は、ステップ７３０に進行して、該当ＭＡＣアドレスと同一の長さを有する臨時ＭＡＣアドレスを生成する。一般に、イーサネット（登録商標）は、４８ビットのＭＡＣアドレスを使用する。従って、イーサネット（登録商標）に接続された基地局４８０は、４８ビットの臨時ＭＡＣアドレスを生成する。
【００５０】
その後、基地局４８０は、ステップ７３５に進行して、ステップ７３０で任意に生成されたＭＡＣアドレスが重複するか否かを検査する。このような重複性アドレス検査でも同一のＭＡＣアドレスが存在すると、基地局４８０は、ステップ７３０及びステップ７３５を反復して遂行する。ステップ７３０及びステップ７３５を通して重複しないＭＡＣアドレスを生成すると、基地局４８０は、ステップ７４０に進行して、プレフィックスを上記生成されたＭＡＣアドレスと結合して、１２８ビットのＩＰｖ６アドレスを生成する。その後、ステップ７４５で、基地局４８０は、図６のように、移動端末４００へ伝送される第２のＭＡＣ階層接続メッセージのプレフィックス情報フィールドに上記生成された１２８ビットのアドレスを挿入する。そして、基地局４８０は、ステップ７５０で、図６で説明したＭＡＣフレームのプレフィックス長さフィールド６６０を‘０’に設定し、上記ＭＡＣヘッダー重複指示フィールド６５０（又はＤビット）を重複したアドレスがないことを示す‘０’に設定した後、ステップ７７０に進行する。
【００５１】
一方、ステップ７２５で、同一のアドレスが検出されない場合、ステップ７６０に進行して、基地局４８０は、該当サブネットワークアドレスを示すプレフィックスを図６のプレフィックス情報フィールドに挿入する。ステップ７６５で、基地局４８０は、上記生成されたプレフィックス長さ情報をプレフィックス長さ情報フィールド６６０に挿入した後、ステップ７７０に進行する。ステップ７７０で、基地局４８０は、図６のように生成された各フィールドをＭＡＣメッセージと結合する。ステップ７８０で、基地局４８０は、図４のステップ４３０での、ダウンリンクを介して移動端末４００へ第２のＭＡＣ階層接続メッセージを伝送する。
【００５２】
図８は、本発明の実施形態による第２のＭＡＣ階層接続メッセージを受信した移動端末でアドレスを自動的に生成する手順を示すフローチャートである。図８を参照すると、ステップ８１０で、移動端末４００は、図４のステップ４３０での基地局４８０又はルータ４９０で生成されて基地局４８０を通して伝送される第２のＭＡＣ階層接続メッセージを受信する。そうすると、ステップ８２０で、移動端末４００は、上記受信された第２のＭＡＣ階層接続メッセージのＭＡＣヘッダー重複指示フィールド６５０のＤビット値を解析する。ステップ８２０で、Ｄビットが‘１’である場合、移動端末４００は、ステップ８４０に進行して、プレフィックス情報フィールド６６５で与えられたプレフィックスを自身のＭＡＣアドレスと結合してＩＰｖ６アドレスを自動的に生成する。その後、ステップ８５０で、移動端末４００は、ステップ８４０で生成されたアドレスを自身のＩＰアドレスとして設定する。
【００５３】
しかしながら、ステップ８２０で、Ｄビットが‘０’である場合、移動端末４００は、ＩＰアドレスを任意に生成することができない。従って、この場合、移動端末４００は、プレフィックス情報フィールド６６５に与えられた１２８ビットのアドレスをプレフィックスではなく自身のＩＰｖ６アドレスとして設定する。すなわち、Ｄビットが‘１’である場合、言い換えると、重複するアドレスを使用する他の移動端末が存在しない場合、プレフィックス情報フィールド６６５にはプレフィックスのみが載せられて伝送される。しかしながら、Ｄビットが‘０’に設定される場合、言い換えると、重複するアドレスを使用する他の移動端末があると、臨時ＭＡＣアドレス及びプレフィックスを含む１２８ビットのアドレスがプレフィックス情報フィールド６６５に載せられて伝送される。
【００５４】
このように、ステップ８３０又はステップ８５０を遂行した後、ステップ８６０で、移動端末４００は、ＩＰｖ６アドレスの設定過程を完了する。このように、移動端末４００は、図４に関連して説明されたＩＰｖ６アドレスとパケットデータ通信を遂行することができる。
【００５５】
以上、本発明の詳細について具体的な実施の形態に基づき説明してきたが、本発明の範囲を逸脱しない限り、各種の変形が可能なのは明らかである。従って、本発明の範囲は、上記実施の形態に限定されるものではなく、特許請求の範囲の記載及び該記載と均等なものにより定められるべきである。
【図面の簡単な説明】
【００５６】
【図１】一般的なＩＰｖ６システムのルータから移動端末へ放送されるルータ通知メッセージのデータフォーマットの一例を示す図である。
【図２】一般的なＩＰｖ６システムにおいて、移動端末がルータから放送されるルータ通知メッセージを用いてＩＰアドレスを生成する手順を示す図である。
【図３】一般的なＩＰｖ６システムにおいて、移動端末がルータによって割り当てられたアドレスを受信する手順を示す図である。
【図４】本発明の実施形態による移動端末に対するＩＰｖ６アドレスを割り当てる手順を示す図である。
【図５】本発明の実施形態による高速アドレスを設定するときアップリンクを介して伝送される第１のＭＡＣ階層接続メッセージのデータフォーマットの一例を示す図である。
【図６】本発明の実施形態による高速アドレスを設定するときダウンリンクを介して伝送される第２のＭＡＣ階層接続メッセージのデータフォーマットの一例を示す図である。
【図７】本発明の実施形態による基地局又はルータで任意のアドレスを生成する手順を示すフローチャートである。
【図８】本発明の実施形態による第２のＭＡＣ階層接続メッセージを受信した移動端末でアドレスを自動に生成する手順を示すフローチャートである。
【符号の説明】
【００５７】
２００  移動端末
２９０  基地局
【図１】
2006512877.tif 000003
【図２】
2006512877.tif 000004
【図３】
2006512877.tif 000005
【図４】
2006512877.tif 000006
【図５】
2006512877.tif 000007
【図６】
2006512877.tif 000008
【図７】
2006512877.tif 000009
【図８】
2006512877.tif 000010
【国際調査報告】
2006512877.tif 000011
2006512877.tif 000012